【事件の表示】
　特許第２７９６０６５号「弾球遊技機の電気系接続装置」の請求項１ないし４に係る特許に対する特許異議の申立てについて、次のとおり決定する。
【結　論】
　訂正を認める。
　特許第２７９６０６５号の請求項１ないし３に係る特許を維持する。
【理　由】
１．手続の経緯
　特許第２７９６０６５号に係る発明についての出願は、平成６年９月１９日に特願平６−２５１４１６号として出願されたものである。
　そして、平成１０年６月２６日にその特許の設定登録がなされ、その後特許異議申立人町田彬より、特許異議の申立てがなされ、平成１２年８月２３日付けで取消理由が通知され、その指定期間内である平成１２年９月２８日に訂正請求がなされたものである。
　
２．訂正の適否についての判断
２−１．訂正の内容
　訂正事項ａ
　特許明細書の特許請求の範囲の請求項１の第６行目の「中央装置（１２）」と「に、」との間に「の後側に、該中央装置（１２）の電気部品が接続された基板（３９）を備え、該基板（３９）」を挿入する。
　
　訂正事項ｂ
　特許明細書の特許請求の範囲の請求項２の第１行目〜第３行目の「中央装置（１２）の後側に、〜請求項１に記載の」を、
　「遊技盤（５）の略中央部に装着孔（３３）を形成し、電気部品を有する中央装置（１２）を、その胴部（２７）が装着孔（３３）に競合するように遊技盤（５）に前側から装着すると共に、この中央装置（１２）の周辺に電気部品を有する遊技部品（１３）（１５）（１６）（１７）（１９）を配置し、遊技機本体（２）の後側に、遊技動作の制御を司る制御基板（２２）を設け、遊技盤（５）の後側に配置した中継基板（４９）を介して制御基板（２２）と各電気部品とを接続した弾球遊技機において、中央装置（１２）の後側に、該中央装置（１２）の電気部品が接続された基板（３９）を備え、中央装置（１２）の本体（２７）（２８）に、装着孔（３３）を経て前側から挿脱できるように中継基板（４９）を取り付け、この中継基板（４９）に、該中継基板（４９）に各電気部品のリード線（５５）〜（５９）を接続するためのコネクター（６０）〜（６４）を配置したことを特徴とする」と訂正する。
　
　訂正事項ｃ
　特許明細書の特許請求の範囲の請求項３の第１行目〜第２行目の「中央装置（１２）の本体〜請求項１」を、
　「中継基板（４９）の周縁部に、各遊技部品（１３）（１５）（１６）（１７）（１９）用のコネクター（６０）〜（６４）が該各遊技部品（１３）（１５）（１６）（１７）（１９）の近傍に位置するように配置したことを特徴とする請求項１又は２」と訂正する。
　
　訂正事項ｄ
　特許明細書の特許請求の範囲の請求項４を削除する。
　
　訂正事項ｅ
　特許明細書の段落０００７の第７行目の「中央装置１２」と「に、」との間に「の後側に、該中央装置１２の電気部品が接続された基板３９を備え、該基板３９」を挿入する。
　
　訂正事項ｆ
　特許明細書の段落０００８の記載を、削除する。
　
　訂正事項ｇ
　特許明細書の段落０００９の第１行目〜第２行目の「請求項３〜を装着」を、
　「請求項２に記載の本発明は、遊技盤５の路中央部に装着孔３３を形成し、電気部品を有する中央装置１２を、その胴部２７が装着孔３３に競合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機において、中央装置１２の後側に、該中央装置１２の電気部品が接続された基板３９を備え、中央装置１２の本体２７，２８に、装着孔３３を経て前側から挿脱できるように中継基板４９を取り付け、この中継基板４９に、該中継基板４９に各電気部品のリード線５５〜５９を接続するためのコネクター６０〜６４を配置」と訂正する。
　
　訂正事項ｈ
　特許明細書の段落００１０の第１行目の「請求項４に記載の本発明は、請求項１、２又は３」を、
　「請求項３に記載の本発明は、請求項１又は２」と訂正する。
　
　訂正事項ｉ
　特許明細書の段落００１２の記載を、削除する。
　
　訂正事項ｊ
　特許明細書の段落００１３の第１行目の「請求項３」を、
　「請求項２」と訂正する。
　
　訂正事項ｋ
　特許明細書の段落００１４の第１行目の「請求項４」を、
　「請求項３」と訂正する。
　
　訂正事項ｌ
　特許明細書の段落００４１の第７行目の「中央装置１２」と「に、」との間に
　「の後側に、該中央装置１２の電気部品が接続された基板３９を備え、該基板３９」を挿入する。
　
　訂正事項ｍ
　特許明細書の段落００４２の記載を削除する。
　
　訂正事項ｎ
　特許明細書の段落００４３の第１行目〜第２行目の「請求項３〜を装着」を、
　「請求項２に記載の本発明は、遊技盤５の略中央部に装着孔３３を形成し、電気部品を有する中央装置１２を、その胴部２７が装着孔３３に嵌合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機におし・て、中央装置１２の後側に、該中央装置１２の電気部品が接続された基板３９を備え、中央装置１２の本体２７，２８に、装着孔３３を経て前側から挿脱できるように中継基板４９を取り付け、この中継基板４９に、該中継基板４９に各電気部品のリード線５５〜５９を接続するためのコネクター６０〜６４を配置」と訂正する。
　
　訂正事項ｏ
　特許明細書の段落００４４の第１行目の「請求項４に記載の本発明は、請求項１、２又は３」を、
　「請求項３に記載の本発明は、請求項１又は２」と訂正する。
　
２−２．訂正の目的の適否、新規事項の有無及び拡張・変更の存否
　上記訂正事項ａないしｄは、いずれも特許請求の範囲に係る訂正であって、訂正事項ａは特許請求の範囲に記載された構成である「基板（３９）」の構成を限定し、訂正事項ｂは訂正事項ａと同様の限定と併せて特許請求の範囲の旧請求項２の引用形式を独立形式としたものであり、訂正事項ｃは遊技部品と遊技部品用のコネクターとの位置関係を限定し、引用請求項を整理したものであり、訂正事項ｄは請求項４を削除しようとするものである。
　上記訂正事項ｅないしｏは、いずれも発明の詳細な説明に係る訂正であって、上記の特許請求の範囲の記載の訂正に伴い対応箇所を同様に訂正したものである。
　上記訂正事項ａないしｄは特許請求の範囲の減縮に該当し、上記訂正事項ｅないしｏは明りょうでない記載の釈明に該当する。
　そして、これらの訂正事項は、いずれも願書に添付した明細書または図面に記載された事項の範囲内のものであって、実質上特許請求の範囲を拡張または変更するものではない。
　
２−３．独立特許要件の判断
（訂正後の特許請求の範囲に記載された発明）
　訂正後の請求項１ないし３に係る発明（以下、請求項１から順に「本件発明１」…「本件発明３」、そのすべてに対しては単に「本件発明」という）は、平成１２年９月２８日付け訂正請求書に添付された訂正明細書の記載からみて、その特許請求の範囲の請求項１ないし３に記載された次のとおりのものである。
　「【請求項１】遊技盤（５）の略中央部に装着孔（３３）を形成し、電気部品を有する中央装置（１２）を、その胴部（２７）が装着孔（３３）に嵌合するように遊技盤（５）に前側から装着すると共に、この中央装置（１２）の周辺に電気部品を有する遊技部品（１３）（１５）（１６）（１７）（１９）を配置し、遊技機本体（２）の後側に、遊技動作の制御を司る制御基板（２２）を設け、遊技盤（５）の後側に配置した中継基板（４９）を介して制御基板（２２）と各電気部品とを接続した弾球遊技機において、中央装置（１２）の後側に、該中央装置（１２）の電気部品が接続された基板（３９）を備え、該基板（３９）に、装着孔（３３）を経て前側から挿脱できるように中継基板（４９）を取り付け、この中継基板（４９）に、該中継基板（４９）に各電気部品のリード線（５５）〜（５９）を接続するためのコネクター（６０）〜（６４）を配置したことを特徴とする弾球遊技機の電気系接続装置。
　【請求項２】遊技盤（５）の略中央部に装着孔（３３）を形成し、電気部品を有する中央装置（１２）を、その胴部（２７）が装着孔（３３）に嵌合するように遊技盤（５）に前側から装着すると共に、この中央装置（１２）の周辺に電気部品を有する遊技部品（１３）（１５）（１６）（１７）（１９）を配置し、遊技機本体（２）の後側に、遊技動作の制御を司る制御基板（２２）を設け、遊技盤（５）の後側に配置した中継基板（４９）を介して制御基板（２２）と各電気部品とを接続した弾球遊技機において、中央装置（１２）の後側に、該中央装置（１２）の電気部品が接続された基板（３９）を備え、中央装置（１２）の本体（２７）（２８）に、装着孔（３３）を経て前側から挿脱できるように中継基板（４９）を取り付け、この中継基板（４９）に、該中継基板（４９）に各電気部品のリード線（５５）〜（５９）を接続するためのコネクター（６０）〜（６４）を配置したことを特徴とする弾球遊技機の電気系接続装置。
　【請求項３】中継基板（４９）の周縁部に、各遊技部品（１３）（１５）（１６）（１７）（１９）用のコネクター（６０）〜（６４）が該各遊技部品（１３）（１５）（１６）（１７）（１９）の近傍に位置するように配置したことを特徴とする請求項１又は２に記載の弾球遊技機の電気系接続装置。」
　
（引用刊行物）
　当審が平成１２年８月２３日付けの取消理由で引用した刊行物１ないし４には、以下の事項が記載されている。
１．実願平２−５２３８３号（実開平４−１１０７３号）のマイクロフィルム（甲第１号証）
２．特開平４−８２５８０号公報（甲第６号証）　
３．特開平４−１０２４８０号公報（甲第５号証）　
４．実願昭６３−７９３５０号（実開平２−１１８４号公報）のマイクロフィルム（甲第３号証）
　上記刊行物１又は２には、遊技盤の略中央部に装着孔を形成し、電気部品を有する中央装置を、その胴部が装着孔に嵌合するように遊技盤に前側から装着すると共に、この中央装置の周辺に電気部品を有する遊技部品を配置し、遊技機本体の後側に、遊技動作の制御を司る制御基板を設け、遊技盤の後側に配置した中継基板を介して制御基板と各電気部品とを接続した弾球遊技機において、中央装置に、装着孔を経て前側から挿脱できるように中継基板を取り付け、この中継基板に、該中継基板に各電気部品のリード線を接続するためのコネクターを配置したことを特徴とする弾球遊技機の電気系接続装置が、記載されている。
　上記刊行物３には、中央装置の後側に、該中央装置の電気部品用の基板を備え、この基板に中継基板を取り付けた弾球遊技機の電気系接続装置が記載されている。
　上記刊行物４には、中継基板の周縁部に、各遊技部品用のコネクターが該各遊技部品の近傍に位置するように配置した弾球遊技機の電気系接続装置が記載されている。
（対比・判断）
　本件発明１および２と上記刊行物１ないし４に記載された発明とを比較すると、上記刊行物１ないし４に記載の発明はいずれも、本件発明１および２の構成要件である、
　「中央装置の後側に、該中央装置の電気部品が接続された基板を備え、該基板に、装着孔を経て前側から挿脱できるように中継基板を取り付け、この中継基板に、該中継基板に各電気部品のリード線を接続するためのコネクターを配置した」弾球遊技機の電気系接続装置を備えておらず、これを示唆する記載も認められない。
　そして、本件発明１および２は、上記構成を備えることにより、
　「（弾球遊技機の電気系統の）接続時の作業を容易かつ能率的に行ない得ると共に、リード線の断線等の故障の発生を防止でき、また中継基板を小型化することができる特に中央装置に、装着孔を経て前側から挿脱できるように中継基板を取り付けているので、中央装置の組立て時に、その部品の一部として中継基板を胴部側に組み付けておくことができ、中継基板を遊技盤に後側から固定するための作業が不要であり、作業能率が向上する。しかも、中継基板が装着孔を経て前側から挿脱できるように中央装置側にあるので、中継基板と中央装置の周辺の各遊技部品との重なりがなく、中継基板の下側から各リード線を引き出す等の煩わしい作業が不要であり、各リード線を中継基板に容易に接続することができる」という顕著な効果を奏することが明らかであるから、本件発明１および２が、上記刊行物１ないし４に記載の発明に基づいて当業者が容易に発明をすることができたものとはいえない。
　本件発明３は請求項１又は２に記載された発明を引用し、さらに限定したものであるから、同様に上記刊行物１ないし４に記載の発明に基づいて当業者が容易に発明をすることができたものとはいえない。
　
　２−４．むすび
　以上のとおりであるから、上記訂正は、特許法第１２０条の４第２項及び同条第３項において準用する第１２６条第２項ないし第４項の規定に適合するので、上記訂正を認める。
　
３．特許異議申立ての理由について
３−１．特許異議申立人町田彬の特許異議申立理由および判断
　特許異議申立人町田彬は、甲第１号証ないし甲第７号証を提出し、本件発明１および３は上記甲第１号証に記載された発明と同一であるから特許法第２９条第１項第３号の規定に該当するので特許を受けることができず、また、特許明細書の特許請求の範囲の請求項１ないし４に請求項１に係る発明は、甲第１号証ないし甲第７号証に記載された発明に基づいて、当業者が容易に発明をすることができたものであるから、特許法第２９条第２項の規定により特許を受けることができないものであり、特許法第１１３条第１項第２号の規定により特許を取り消されるべきと主張している。
　そして本件発明は、訂正明細書の特許請求の範囲の請求項１ないし３に記載されたとおりのものである。
　そして、上記甲第１、３、５、６号証には、「２−３．独立特許要件の判断」において述べた事項が記載されており、
　甲第２号証：実願平３−９３７２１号（実開平５−３５１８０号）のマイクロフィルムには、「弾球遊技機の電気的変動表示装置を遊技盤に開設された取付開口に遊技盤の前方から差し込み、取付穴にビスを螺着して遊技盤に取り付ける」取り付け構造が、
　甲第４号証：実願昭６３−７８１２１号（実開平１−１８０２７８号公報）のマイクロフィルムには、「中継基板の周縁部にコネクタを設け、該コネクタの設置位置は接続される遊技部品の近傍とした弾球遊技機の電気系接続装置」が、
　甲第７号証：実願平１−６５６１０号（実開平３−５４７７号）のマイクロフィルムには、「可変表示装置と変動入賞装置と天入賞装置は、共通基板に設けられ、該共通基板を介して遊技盤の表面に取り付けられる」取り付け構造が、それぞれ記載されている。
　しかしながら、本件発明は、構成要件として「中央装置の後側に、該中央装置の電気部品が接続された基板を備え、該基板に、装着孔を経て前側から挿脱できるように中継基板を取り付け、この中継基板に、該中継基板に各電気部品のリード線を接続するためのコネクターを配置した」弾球遊技機の電気系接続装置を備えるものであるから、甲第１号証に記載された発明と同一ではない。
　さらに、上記甲第２、４，７号証においても本件発明の構成要件である、
「中央装置の後側に、該中央装置の電気部品が接続された基板を備え、該基板に、装着孔を経て前側から挿脱できるように中継基板を取り付け、この中継基板に、該中継基板に各電気部品のリード線を接続するためのコネクターを配置した」弾球遊技機の電気系接続装置を備えていないことからみて、本件発明が甲第１号証ないし甲第７号証に記載された発明に基づいて当業者が容易に発明をすることができたものではないことは明らかである。　
　
３−２．むすび
　したがって、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１３年３月２２日（２００１．３．２２）
【訂正の要旨】
訂正の要旨
　訂正事項ａ
　特許明細書の特許請求の範囲の請求項１の第６行目の「中央装置（１２）」と「に、」との間に「の後側に、該中央装置（１２）の電気部品が接続された基板（３９）を備え、該基板（３９）」を挿入する。
　訂正事項ｂ
　特許明細書の特許請求の範囲の請求項２の第１行目〜第３行目の「中央装置（１２）の後側に、〜請求項１に記載の」を、
　「遊技盤（５）の略中央部に装着孔（３３）を形成し、電気部品を有する中央装置（１２）を、その胴部（２７）が装着孔（３３）に競合するように遊技盤（５）に前側から装着すると共に、この中央装置（１２）の周辺に電気部品を有する遊技部品（１３）（１５）（１６）（１７）（１９）を配置し、遊技機本体（２）の後側に、遊技動作の制御を司る制御基板（２２）を設け、遊技盤（５）の後側に配置した中継基板（４９）を介して制御基板（２２）と各電気部品とを接続した弾球遊技機において、中央装置（１２）の後側に、該中央装置（１２）の電気部品が接続された基板（３９）を備え、中央装置（１２）の本体（２７）（２８）に、装着孔（３３）を経て前側から挿脱できるように中継基板（４９）を取り付け、この中継基板（４９）に、該中継基板（４９）に各電気部品のリード線（５５）〜（５９）を接続するためのコネクター（６０）〜（６４）を配置したことを特徴とする」と訂正する。
　訂正事項ｃ
　特許明細書の特許請求の範囲の請求項３の第１行目〜第２行目の「中央装置（１２）の本体〜請求項１」を、
　「中継基板（４９）の周縁部に、各遊技部品（１３）（１５）（１６）（１７）（１９）用のコネクター（６０）〜（６４）が該各遊技部品（１３）（１５）（１６）（１７）（１９）の近傍に位置するように配置したことを特徴とする請求項１又は２」と訂正する。
　訂正事項ｄ
　特許明細書の特許請求の範囲の請求項４を削除する。
　訂正事項ｅ
　特許明細書の段落０００７の第７行目の「中央装置１２」と「に、」との間に「の後側に、該中央装置１２の電気部品が接続された基板３９を備え、該基板３９」を挿入する。
　訂正事項ｆ
　特許明細書の段落０００８の記載を、削除する。
　訂正事項ｇ
　特許明細書の段落０００９の第１行目〜第２行目の「請求項３〜を装着」を、
　「請求項２に記載の本発明は、遊技盤５の路中央部に装着孔３３を形成し、電気部品を有する中央装置１２を、その胴部２７が装着孔３３に競合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機において、中央装置１２の後側に、該中央装置１２の電気部品が接続された基板３９を備え、中央装置１２の本体２７，２８に、装着孔３３を経て前側から挿脱できるように中継基板４９を取り付け、この中継基板４９に、該中継基板４９に各電気部品のリード線５５〜５９を接続するためのコネクター６０〜６４を配置」と訂正する。
　訂正事項ｈ
　特許明細書の段落００１０の第１行目の「請求項４に記載の本発明は、請求項１、２又は３」を、
　「請求項３に記載の本発明は、請求項１又は２」と訂正する。
　訂正事項ｉ
　特許明細書の段落００１２の記載を、削除する。
　訂正事項ｊ
　特許明細書の段落００１３の第１行目の「請求項３」を、
　「請求項２」と訂正する。
　訂正事項ｋ
　特許明細書の段落００１４の第１行目の「請求項４」を、
　「請求項３」と訂正する。
　訂正事項ｌ
　特許明細書の段落００４１の第７行目の「中央装置１２」と「に、」との間に
　「の後側に、該中央装置１２の電気部品が接続された基板３９を備え、該基板３９」を挿入する。
　訂正事項ｍ
　特許明細書の段落００４２の記載を削除する。
　訂正事項ｎ
　特許明細書の段落００４３の第１行目〜第２行目の「請求項３〜を装着」を、
　「請求項２に記載の本発明は、遊技盤５の略中央部に装着孔３３を形成し、電気部品を有する中央装置１２を、その胴部２７が装着孔３３に嵌合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機におし・て、中央装置１２の後側に、該中央装置１２の電気部品が接続された基板３９を備え、中央装置１２の本体２７，２８に、装着孔３３を経て前側から挿脱できるように中継基板４９を取り付け、この中継基板４９に、該中継基板４９に各電気部品のリード線５５〜５９を接続するためのコネクター６０〜６４を配置」と訂正する。
　訂正事項ｏ
　特許明細書の段落００４４の第１行目の「請求項４に記載の本発明は、請求項１、２又は３」を、
　「請求項３に記載の本発明は、請求項１又は２」と訂正する。
（５４）【発明の名称】
弾球遊技機の電気系接続装置
（５７）【特許請求の範囲】
　【請求項１】　遊技盤（５）の略中央部に装着孔（３３）を形成し、電気部品を有する中央装置（１２）を、その胴部（２７）が装着孔（３３）に嵌合するように遊技盤（５）に前側から装着すると共に、この中央装置（１２）の周辺に電気部品を有する遊技部品（１３）（１５）（１６）（１７）（１９）を配置し、遊技機本体（２）の後側に、遊技動作の制御を司る制御基板（２２）を設け、遊技盤（５）の後側に配置した中継基板（４９）を介して制御基板（２２）と各電気部品とを接続した弾球遊技機において、中央装置（１２）
の後側に、該中央装置（１２）の電気部品が接続された基板（３９）を備え、該基板（３９）
　【請求項２】　
遊技盤（５）の略中央部に装着孔（３３）を形成し、電気部品を有する中央装置（１２）を、その胴部（２７）が装着孔（３３）に嵌合するように遊技盤（５）に前側から装着すると共に、この中央装置（１２）の周辺に電気部品を有する遊技部品（１３）（１５）（１６）（１７）（１９）を配置し、遊技機本体（２）の後側に、遊技動作の制御を司る制御基板（２２）を設け、遊技盤（５）の後側に配置した中継基板（４９）を介して制御基板（２２）と各電気部品とを接続した弾球遊技機において、中央装置（１２）の後側に、該中央装置（１２）の電気部品が接続された基板（３９）を備え、中央装置（１２）の本体（２７）（２８）に、装着孔（３３）を経て前側から挿脱できるように中継基板（４９）を取り付け、この中継基板（４９）に、該中継基板（４９）に各電気部品のリード線（５５）〜（５９）を接続するためのコネクター（６０）〜（６４）を配置
る弾
　【請求項３】　
中継基板（４９）の周縁部に、各遊技部品（１３）（１５）（１６）（１７）（１９）用のコネクター（６０）〜（６４）が該各遊技部品（１３）（１５）（１６）（１７）（１９）の近傍に位置するように配置し
又は２
【発明の詳細な説明】
　【０００１】
　【産業上の利用分野】
　本発明は、パチンコ機、アレンジボール機等の弾球遊技機の電気系接続装置に関するものである。
　【０００２】
　【従来の技術】
　パチンコ機、アレンジボール機等の弾球遊技機においては、遊技盤の略中央部に、ＬＥＤ表示式の変動図柄表示手段を配置すると共に、この変動図柄表示手段の周辺に入賞口、始動口、入賞手段、大入賞手段、風車等の各種遊技部品を配置している。そして、各遊技部品には、その機能に応じて検出スイッチ、ソレノイド、表示ランプ等の各種の電気部品が組み込まれている。
　【０００３】
　一方、遊技盤の後側には、遊技動作の制御を司る制御基板を裏カバーを介して装着し、この裏カバー内で制御基板と遊技盤との間に配置された中継基板を介して制御基板と各電気部品が電気的に接続している。
　【０００４】
　【発明が解決しようとする課題】
　従来の弾球遊技機では、矩形状の中継基板を用い、この中継基板を遊技盤の後側にスペーサー等を介して取り付けている。このため、大きな中継基板で変動図柄表示手段及びその近傍の遊技部品を後側から覆う形となるので、中継基板を遊技盤に固定した後、各電気部品のリード線をコネクターを介して中継基板に接続する際の作業が非常に煩わしくなる欠点があった。
　【０００５】
　また変動図柄表示手段及びその近傍の遊技部品を中継基板で後側から覆っているので、各リード線を後側に引き出す場合、中継基板を迂回させてその周囲から各リード線を後側に引き出さなければならず、リード線の長さが必要以上に長くなり、リード線に非常な無駄が生じると共に、接続時に長いリード線を引き出しながら接続して行くため、作業中にリード線が切れる等の故障も生じ易くなる欠点がある。
　【０００６】
　更に、長いリード線を引き出して中継基板側に接続するため、リード線側の雌側又は雄側を中継基板側の雄側又は雌側に接続する際に、その位置関係を直ちに判断し難く、接続ミス等が発生し易いという欠点もある。
　本発明は、かかる従来の課題に鑑み、接続時の作業を容易かつ能率的に行ない得ると共に、リード線の無駄、接続ミスの発生を防止でき、しかも中継基板を小型化できる弾球遊技機の電気系接続装置を提供することを目的とする。
　【０００７】
　【課題を解決するための手段】
　請求項１に記載の本発明は、遊技盤５の略中央部に装着孔３３を形成し、電気部品を有する中央装置１２を、その胴部２７が装着孔３３に嵌合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機において、中央装置１２
の後側に、該中央装置１２の電気部品が接続された基板３９を備え、該基板３９
　【０００８】
　【０００９】
　
請求項２に
遊技盤５の略中央部に装着孔３３を形成し、電気部品を有する中央装置１２を、その胴部２７が装着孔３３に嵌合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機において、中央装置１２の後側に、該中央装置１２の電気部品が接続された基板３９を備え、中央装置１２の本体２７，２８に、装着孔３３を経て前側から挿脱できるように中継基板４９を取り付け、この中継基板４９に、該中継基板４９に各電気部品のリード線５５〜５９を接続するためのコネクター６０〜６４を配置
　【００１０】
　
請求項３
又は２
　【００１１】
　【作用】
　請求項１に記載の本発明では、中央装置１２に中継基板４９を取り付け、その状態で中央装置１２を遊技盤５の装着孔３３に前側から嵌合させて装着する。このため、中継基板４９を予め中央装置１２に取り付けて、その後、中央装置１２を遊技盤５に装着できる。この中継基板４９にコネクター６０〜６４を介して各電気部品のリード線５５〜５９を接続する。このため、各リード線５５〜５９を中継基板４９に容易に接続できる。
　【００１２】
　【００１３】
　
請求項２
　【００１４】
　
請求項３
　【００１５】
　【実施例】
　以下、本発明の実施例を図面に基づいて詳述する。
　図１乃至図４は本発明をパチンコ機に採用した第１実施例を示す。
　図４はパチンコ機の正面図である。図４において、１は前枠で、パチンコ機本体（遊技機本体）２の前面側に開閉自在に枢着されている。前枠１にはガラス扉３及び前面板４が装着され、これらの後側に遊技盤５が着脱自在に装着されている。
　【００１６】
　前面板４には上皿６が装着され、この上皿６の前縁部に球払いレバー７が設けられている。前枠１の下部には下皿８と発射手段９の操作ハンドル１０とが設けられ、操作ハンドル１０を操作した時に、上皿６から遊技球が１個ずつ発射部に供給され、その遊技球を発射モータの作動により遊技盤５側に発射するようになっている。
　【００１７】
　遊技盤５の前面には、発射された遊技球を案内するガイドレール１１が設けられると共に、略中央部に変動図柄表示手段１２が設けられ、この変動図柄表示手段１２の周辺部に多数の障害釘の他、ランプ風車１３、天入賞口１４、始動口１５、チューリップ式入賞手段１６、大入賞手段１７、アウトロ１８、及びコーナーランプ１９が夫々設けられている。
　【００１８】
　遊技盤５の後側には、図１乃至図３に示すように、変動図柄表示手段１２、天入賞口１４、始動口１５、入賞手段１６、大入賞手段１７等を覆う裏カバー２０が装着され、この裏カバー２０に保護ケース２１を介して制御基板２２が取り付けられている。制御基板２２にはパチンコ機全体の遊技動作を制御するＩＣ、その他の電気部品等がプリント配線により装着さている。
　【００１９】
　制御基板２２は保護ケース２１内に収められ、また保護ケース２１は裏カバー２０の開口部２３を略塞ぐように、下端側を裏カバー２０の係合部２４に係合させた状態で、上端側を裏カバー２０の係止爪２５により係止して着脱自在に装着されている。
　変動図柄表示手段１２は、横方向の左右及び中央に３個のドット式の図柄表示部２６を備えたＬＥＤ表示式であって、始動口１５に遊技球が入球した時に、各図柄表示部２６の図柄が所定時間だけ変動するようになっている。
　【００２０】
　変動図柄表示手段１２は、中央に開口を有する胴部２７と、この胴部２７の外周に一体に形成された取り付け部２８と、胴部２７の開口の上縁側に沿って円弧状に突出形成された廂部２９と、胴部２７の開口の後端側にネジ３０により着脱自在に装着された透明な表示板部３１とを備え、その表示板部３１の下部側に矩形状に形成された表示窓部３２に図柄表示部２６が後側から装着されている。
　そして、この変動図柄表示手段１２は、胴部２７を遊技盤５の装着孔３３に前側から嵌合させた状態で、その取り付け部２８側がネジ３４により遊技盤５に着脱自在に装着されている。取り付け部２８の上部には、天入賞口１４が設けられている。
　【００２１】
　表示板部３１には、図柄表示部２６の上下両側に左右方向に多数のランプ孔３５，３６が形成されると共に、上部側に同部２７の上縁側に沿って円弧方向に４個のランプ孔３７が形成されている。表示板部３１の後側には４個のスペーサー３８を介して図柄表示基板３９がネジ４０により着脱自在に装着されている。
　なお、表示板部３１の全面側には、その表示窓部３２を除くように不透明な化粧シート（図示せず）が貼着されている。また胴部２７、取り付け部２８等から変動図柄表示手段１２の本体が構成されている。
　【００２２】
　図柄表示基板３９の前面側には、表示板部３１の各ランプ孔３５，３６，３７に対応する発光ランプ４１，４２，４３が装着されると共に、図柄表示部２６の各ドット部側のコネクターピン４４を介して図柄表示部２６が装着されている。また図柄表示基板３９の後側には、その左右両側に上下方向に長いコネクター４６が夫々装着されており、この各コネクター４６は図柄表示基板３９に形成されたパターンを介して図柄表示部２６及び発光ランプ４１，４２，４３に電気的に接続されている。
　【００２３】
　図柄表示基板３９の後側には、４個のスペーサー４７を介してネジ４８により中継基板４９が着脱自在に装着されている。中継基板４９は遊技盤５の装着孔３３よりも小さくなっており、図柄表示基板３９を介して胴部２７に装着した状態で遊技盤５の前側から装着孔３３に挿脱できるようになっている。
　【００２４】
　遊技盤５の後側には、天入賞口１４、始動口１５、入賞手段１６等に入球した遊技球を下側に案内する集球通路５０，５１が夫々設けられ、その集球通路５１には各始動口１５に入球した遊技球を検出する検出スイッチ５２が設けられている。
　ランプ風車１３は発光ランプを有する。入賞手段１６はその左右一対の開閉爪を駆動するソレノイドを備え、このソレノイドが励磁した時に左右一対の開閉爪が開くようになっている。
　【００２５】
　大入賞手段１７は、左右に長く形成された開口部を開閉し且つ開時に遊技盤５の上側から落下する遊技球を開口部内に案内する開閉板５３と、この開閉板５３を開閉駆動するソレノイド５４と、開口部内の中央の特定領域に入った遊技球を検出する検出スイッチとを備え、変動図柄表示手段１２の各図柄表示部２６の停止図柄が所定の当たり図柄の組み合わせとなった時に、ソレノイド５４が励磁して開閉板５３が開放するようになっている。
　【００２６】
　なお、この大入賞手段１７は、開放中に、遊技球が開口部内の特定領域に遊技球が入って検出スイッチが検出すると、その開放終了後に再度開閉板５３が開口部を開放するようになっている。
　【００２７】
　ランプ風車１３、コーナーランプ１９等の各遊技部品には、その他にも必要に応じて表示ランプ等の電気部品が備えられている。そして、これらの各電気部品は、リード線５５〜５９及びコネクター６０〜６４を介して中継基板４９に電気的に接続されている。各コネクター６０〜６４は、中継基板４９の外周縁部で、且つ入賞手段１６、大入賞手段１７等の対象となる各遊技部品の極力近傍に配置されている。中継基板４９には左右両側部の各コネクター６０〜６４と下部側のコネクター６５とを電気的に接続するパターンが形成されており、下部側のコネクター６５はリード線６６及びコネクター６７を介して制御基板２２の下部側に接続されている。
　【００２８】
　上記構成のパチンコ機において、遊技盤５を組み立てる場合には、遊技盤５に変動図柄表示手段１２を装着すると共に、その周辺部に始動口１５、入賞手段１６、大入賞手段１７等の各種遊技部品を装着した後、その各電気部品を中継基板４９及び制御基板２２に接続する。
　【００２９】
　この場合、変動図柄表示手段１２の図柄表示基板３９にスペーサー４７を介して中継基板４９が装着されているので、遊技盤５に変動図柄表示手段１２を装着する前に、予め図柄表示基板３９のコネクター４６、リード線５７を中継基板４９のコネクター６２側に接続しておく。そして、その後、変動図柄表示手段１２の後部側を遊技盤５の前側から装着孔３３に挿入し、取り付け部２８をネジ３４で遊技盤５に固定して、変動図柄表示手段１２を遊技盤５に装着する。
　【００３０】
　このため、変動図柄表示手段１２の組立て時に、その部品の一部として中継基板４９を変動図柄表示手段１２に組み付けることができ、中継基板４９を遊技盤５に後側から固定するための作業が不要であり、作業能率が向上する。
　【００３１】
　次に始動口１５、入賞手段１６、大入賞手段１７等の各遊技部品に接続されたリード線５５〜５９をコネクター６０〜６４を介して中継基板４９に接続する。この時、始動口１５、入賞手段１６、大入賞手段１７等の各遊技部品は、変動図柄表示手段１２の周辺部にあって、中央部の変動図柄表示手段１２に中継基板４９を装着しており、中継基板４９と各周辺部の各遊技部品とが重なっていないので、中継基板４９の下側から各リード線５５〜５９を引き出す等の煩わしい作業が不要であり、各リード線５５〜５９を中継基板４９に容易に接続することができる。
　【００３２】
　特に、中継基板４９の下側からリード線５５〜５９を引き出す場合には、リード線５５〜５９に無理な外力が加わり、半田付け部分が外れたり、リード線５５〜５９が切断する等の故障が生じ易いが、リード線５５〜５９の引出し作業が不要であるため、単に作業が容易であるばかりでなく、作業時における故障の発生も防止することができる利点がある。
　【００３３】
　また中継基板４９には対象とする各遊技部品に極力近い箇所にコネクター６０〜６４があるので、各リード線５５〜５９を極力近い箇所のコネクター６０〜６４に接続して行けば良い。このため、リード線５５〜５９が必要以上に長くなるようなことがなく、リード線５５〜５９の無駄を防止できると共に、長いリード線５５〜５９を使用した場合に発生し勝ちであったリード線５５〜５９の切断等の故障も防止でき、正確な作業を容易且つ能率的に行うことができる。
　【００３４】
　コネクター６０〜６４の雄側と雌側とを同一の色に着色する等、各コネクター６０〜６４毎に色分けしておけば、接続すべき相手側をその色で判断できるので、作業が更に容易であり、接続ミスを防止することができる。
　なお、リード線５５〜５９の接続作業は、遊技盤５の後側に裏カバー２０を装着した後、その開口部２３側から手を入れて行っても良いし、またリード線５５〜５９の接続後に遊技盤５に裏カバー２０を装着しても良い。
　【００３５】
　図５は本発明の第２実施例を例示し、変動図柄表示手段１２の胴部２７、特にその取り付け部２８の後側にボス部７０を一体に形成し、このボス部７０に中継基板４９をネジ７１で着脱自在に固定したものである。
　このように変動図柄表示手段１２の胴部２７にボス部７０を設ければ、図柄表示基板３９に中継基板４９を取り付ける場合に比較して、中継基板４９に大きなものを使用することができる。このため、中継基板４９上に各コネクター６０〜６４を配置する場合に余裕ができ、各コネクター６０〜６４を対象とする各遊技部品の位置に合わせて比較的自由に配置することができる。
　【００３６】
　また中継基板４９にリード線５５〜５９を接続する場合にも、図柄表示基板３９側に無駄な外力がかからないので、図柄表示基板３９側が損傷する等の恐れも生じず、中継基板４９の取り付け状態が安定する。
　なお、この第２実施例では、第１実施例と同様に遊技盤５の装着孔３３よりも小さい中継基板４９を使用し、中継基板４９を変動図柄表示手段１２側に装着した状態で、この変動図柄表示手段１２を前側から遊技盤５に装着できるようにしている。
　【００３７】
　しかし、胴部２７のボス部７０を遊技盤５の厚さよりも十分大にし、このボス部７０に中継基板４９を後側からネジ７１で固定する構造であるため、更に大きな中継基板４９を必要とする場合には、遊技盤５の装着孔３３よりも大きな中継基板４９を用い、変動図柄表示手段１２を遊技盤５に装着した後、遊技盤５の後側から中継基板４９をボス部７０に固定することもできる。
　【００３８】
　図６は本発明の第３実施例を例示し、図柄表示基板３９を中継基板４９に兼用して、この図柄表示基板３９に各遊技部品に対応するコネクター６０〜６４を装着したものである。
　この実施例のようにすれば、電気部品を備えた遊技部品の数が比較的少ない場合、或いはコネクター６０〜６４に各リード線５５〜５９を集約的に接続して、コネクター６０〜６４の数を少なくした場合には、専用の中継基板４９が不要になるので、非常に便利である。
　【００３９】
　また専用の中継基板４９がないので、変動図柄表示手段１２の後方への突出量も小さくなり、小型化することができる。
　以上、本発明の各実施例について説明したが、本発明は実施例に限定されるものではない。
　例えば、図柄表示基板３９に中継基板４９を取り付ける場合、両者の間にコネクター６０〜６４を介在し、そのコネクター６０〜６４を介して中継基板４９を図柄表示基板３９に装着するようにしても良い。
　【００４０】
　また実施例では、中央装置として変動図柄表示手段１２を例示したが、変動図柄表示手段１２以外の入賞手段１６の場合でも良い。
　更に、制御基板２２はパチンコ機本体２の後側であれば良く、必ずしも遊技盤５の後側に装着する必要はない。
　実施例では、パチンコ機について説明したが、パチンコ機以外の各種の弾球遊技機においても同様に実施できる。
　【００４１】
　【発明の効果】
　請求項１に記載の本発明によれば、遊技盤５の略中央部に装着孔３３を形成し、電気部品を有する中央装置１２を、その胴部２７が装着孔３３に嵌合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機において、中央装置１２
の後側に、該中央装置１２の電気部品が接続された基板３９を備え、該基板３９
　特に中央装置１２に、装着孔３３を経て前側から挿脱できるように中継基板４９を取り付けているので、中央装置１２の組立て時に、その部品の一部として中継基板４９を胴部２７側に組み付けておくことができ、中継基板４９を遊技盤５に後側から固定するための作業が不要であり、作業能率が向上する。
　しかも、中継基板４９が装着孔３３を経て前側から挿脱できるように中央装置１２側にあるので、中継基板４９と中央装置１２の周辺の各遊技部品１３，１５，１６，１７，１９との重なりがなく、中継基板４９の下側から各リード線５５〜５９を引き出す等の煩わしい作業が不要であり、各リード線５５〜５９を中継基板４９に容易に接続することができる。
　【００４２】
　【００４３】
　
請求項２
遊技盤５の略中央部に装着孔３３を形成し、電気部品を有する中央装置１２を、その胴部２７が装着孔３３に嵌合するように遊技盤５に前側から装着すると共に、この中央装置１２の周辺に電気部品を有する遊技部品１３，１５，１６，１７，１９を配置し、遊技機本体２の後側に、遊技動作の制御を司る制御基板２２を設け、遊技盤５の後側に配置した中継基板４９を介して制御基板２２と各電気部品とを接続した弾球遊技機において、中央装置１２の後側に、該中央装置１２の電気部品が接続された基板３９を備え、中央装置１２の本体２７，２８に、装着孔３３を経て前側から挿脱できるように中継基板４９を取り付け、この中継基板４９に、該中継基板４９に各電気部品のリード線５５〜５９を接続するためのコネクター６０〜６４を配置
　【００４４】
　
請求項３
又は２
【図面の簡単な説明】
　【図１】
　本発明の第１実施例を示す電気部品の接続状態の縦断面図である。
　【図２】
　本発明の第１実施例を示す電気部品の接続状態の背面図である。
　【図３】
　本発明の第１実施例を示す要部の背面図である。
　【図４】
　本発明の第１実施例を示すパチンコ機の正面図である。
　【図５】
　本発明の第２実施例を示す電気部品の接続状態の縦断面図である。
　【図６】
　本発明の第３実施例を示す電気部品の接続状態の縦断面図である。
　【符号の説明】
　５　　遊技盤
　１２　変動図柄表示手段（中央装置）
　１５　始動口（遊技部品）
　１６　チューリップ式入賞手段（遊技部品）
　１７　大入賞手段（遊技部品）
　２２　制御基板
　２６　図柄表示部
　２７　胴部
　２８　取り付け部
　３９　図柄表示基板
　４９　中継基板
　５５〜５９　リード線
　６０〜６４　コネクター